(57)【要約】【課題】隣り合う外壁板の間の防水機能を有する防水性に優れた外壁施工構造を提供すること。【解決手段】外壁板１０を上下左右に突き付け接合した状態で下地材４に固定してなる外壁施工構造１。外壁板１０は、上端面１１０、下端面１１１、左端面１１２、及び右端面１１３に、裏側面１１４から切り欠かれた切欠部１００を形成してなる。該切欠部１００の前端部１０１には、弾力性を有する端面止水材２が連続して配設されている。該端面止水材２は、隣接する上記外壁板１０に配設された上記端面止水材２と密着している。【選択図】図１
2006241839.tif 000002
【特許請求の範囲】
【請求項１】
外壁板を上下左右に突き付け接合した状態で下地材に固定してなる外壁施工構造において、
上記外壁板は、上端面、下端面、左端面、及び右端面に、裏側面から切り欠かれた切欠部を形成してなり、
該切欠部の前端部には、弾力性を有する端面止水材が連続して配設されており、
該端面止水材は、隣接する上記外壁板に配設された上記端面止水材と密着していることを特徴とする外壁施工構造。
【請求項２】
請求項１において、上記端面止水材は、ＥＰＤＭ又はシリコンゴムからなることを特徴とする外壁施工構造。
【請求項３】
請求項１又は２において、上記外壁板は、該外壁板の上辺及び下辺に配された留め付け金具によって上記下地材に留め付けられており、
該留め付け金具は、上記下地材に固定される基板部と、該基板部から前方へ突出すると共に上方に屈曲した上板係止部と、下方に屈曲した下板係止部とを有し、
上記外壁板の上端面及び下端面には、上記端面止水材の配設部分よりも後方において、上記外壁板の内側に向かって切り込まれた切込係止溝が形成されており、
上記留め付け金具は、下側の上記外壁板の上端面における上記切込係止溝に上記下板係止部を係合させ、上側の上記外壁板の下端面における上記切込係止溝に上記上板係止部を係合させることにより、上記外壁板を留め付けていることを特徴とする外壁施工構造。
【請求項４】
請求項３において、上記切欠部の前端部と上記切込係止溝の後面との間の前後位置関係は、隣り合う上記外壁板の間において同一であり、上記留め付け金具は、上記基板部から前方へ向かって突出したバネ部を有し、該バネ部は、前方へ付勢された状態で上記外壁板の裏側面に当接することにより、該外壁板を前方へ押圧していることを特徴とする外壁施工構造。
【請求項５】
請求項３又は４において、上記留め付け金具は、上記基板部にビス孔を設けてなると共に、該ビス孔に挿通したビスによって上記下地材に固定されており、上記ビス孔の周囲における上記基板部の裏側面には金具止水材が配設され、該金具止水材は、上記ビスの脚部に絡み付いており、上記ビスの頭部と上記留め付け金具との間にはビス止水材が配設されていることを特徴とする外壁施工構造。
【請求項６】
請求項５において、上記金具止水材は、ブチルゴムからなることを特徴とする外壁施工構造。
【請求項７】
請求項５又は６において、上記金具止水材は、引裂強度が０．４Ｎ／ｍｍ2以上、伸び率が２０％以上であることを特徴とする外壁施工構造。
【請求項８】
請求項５〜７のいずれか一項において、上記ビス止水材は、ＥＰＤＭ又はシリコンゴムからなることを特徴とする外壁施工構造。
【発明の詳細な説明】
【技術分野】
【０００１】
本発明は、外壁板を上下左右に突き付け接合した状態で下地材に固定してなる外壁施工構造に関する。
【背景技術】
【０００２】
従来より、留め付け金具を下側の外壁板の上辺部及び上側の外壁板の下辺部に係合配置して、上記外壁板を胴縁を介して建物の構造躯体に留め付けてなる外壁施工構造がある（特許文献１参照）。
上記外壁施工構造は以下のごとく構築される。
【０００３】
上記構造躯体の外側に防水紙等を介して胴縁を上記構造躯体に固定する。次いで、上記胴縁の外側に外壁の下地材を施工すると共に、外壁の下地材の外側に上記留め付け金具を配設してビス等により上記構造躯体に固定する。そして、上記外壁板を留め付け金具に係止することにより、上記外壁施工構造は構築されている。
【０００４】
ところが、上記外壁施工構造では、雨水等が外壁板の裏側に回りこんだ場合、外壁板及び構造躯体が腐食、又は劣化してしまうおそれがある。
また、予め防水機能を有している専用の下地材を用いること等により防水機能を高めているため、上記外壁施工構造は非常にコストがかかるものとなってしまうおそれがある。
【０００５】
【特許文献１】特開平８−２９６３１７号公報
【発明の開示】
【発明が解決しようとする課題】
【０００６】
本発明は、かかる従来の問題点に鑑みてなされたもので、隣り合う外壁板の間の防水機能を有する防水性に優れた外壁施工構造を提供しようとするものである。
【課題を解決するための手段】
【０００７】
本発明は、外壁板を上下左右に突き付け接合した状態で下地材に固定してなる外壁施工構造において、
上記外壁板は、上端面、下端面、左端面、及び右端面に、裏側面から切り欠かれた切欠部を形成してなり、
該切欠部の前端部には、弾力性を有する端面止水材が連続して配設されており、
該端面止水材は、隣接する上記外壁板に配設された上記端面止水材と密着していることを特徴とする外壁施工構造にある（請求項１）。
【０００８】
次に、本発明の作用効果につき説明する。
上記切欠部の前端部には、弾力性を有する上記端面止水材が連続して配設されている。そして、上下左右に隣接する外壁板が突き付け接合されると、上記端面止水材が互いに密着し合う。これにより、上記外壁板同士の間における隙間の発生を防ぐことができ、隣り合う外壁板の間の防水機能を確保して防水性に優れた外壁施工構造を得ることができる。
上述のごとく、外壁板の後方へ水が浸入することを防ぐことができるため、上記下地材として特に防水機能を有するものを用いる必要がない。そのため、安価な外壁施工構造を得ることができる。
【０００９】
また、上記端面止水材は上記切欠部に配設されているため、外壁板を突き付け接合したとき、上記端面止水材が意匠面側に露出しすぎることを抑制することができる。
また、端面止水材同士が密着することにより、例えば、上側の外壁板の下端面と下側の外壁板の上端面とが、より近接し、外壁板同士の間における隙間の発生を防ぐことができる。
これにより、外壁板の接合部において意匠面が分断されることがなく、外観意匠性に優れた外壁施工構造を得ることができる。
【００１０】
また、上記端面止水材は、上記切欠部の前端部に配設されている。そのため、複数の上記外壁板を突き付け接合する際に、上記外壁板の端面に設けられた端面止水材が意匠面側に向かってずれることを防ぐことができる。その結果、上述した外壁施工構造の防水機能の効果を確実に発揮すると共に、外観意匠性を確保することができる。
【００１１】
また、上記外壁板は、上端面、下端面、左端面、及び右端面に、上記切欠部を形成してなる。そのため、上述した外壁施工構造の防水機能の効果を、外壁板の端面の全周にわたって発揮することができる。したがって、上記外壁施工構造を施工した後、隣り合う外壁板の接合部に形成される目地部にシーリング材の打設等を行わなくても良い。
また、上記外壁板の防水機能の効果により、雨水等が外壁板の裏側面に回り込むおそれがないため、外壁板及び構造躯体の腐食、劣化等の問題がない。
【００１２】
以上のごとく、本発明によれば、隣り合う外壁板の間の防水機能を有する防水性に優れた外壁施工構造を提供することができる。
【発明を実施するための最良の形態】
【００１３】
本発明（請求項１）において、上記外壁板は、例えば、窯業系外壁板を用いることができる。
また、上記下地材は、例えば、合板、ＯＳＢ（オリエンテッド・ストランド・ボード）等とすることができる。
【００１４】
また、上記端面止水材は、上記外壁板の施工前における押圧力がかかってない状態において、例えば、幅を３〜７ｍｍ、厚みを２〜５ｍｍとすることができる。
また、上記切欠部は、例えば、深さを０．５〜２ｍｍとすることができる。
本発明において、上記外壁板に対して、下地材側を後方、その反対側を前方とする。
また、外壁板等の各部材については、上記外壁施工構造を施工した状態において、上、下、左、右となる向きを、それぞれ、上、下、左、右として表す。
【００１５】
上記端面止水材は、ＥＰＤＭ（エチレンプロピレンゴム）又はシリコンゴムからなることが好ましい（請求項２）。
この場合には、弾力性、耐候性に優れた端面止水材を得ることができる。そのため、上述した外壁施工構造の防水機能の効果をより一層発揮することができる。
【００１６】
上記外壁板は、該外壁板の上辺及び下辺に配された留め付け金具によって上記下地材に留め付けられており、該留め付け金具は、上記下地材に固定される基板部と、該基板部から前方へ突出すると共に上方に屈曲した上板係止部と、下方に屈曲した下板係止部とを有し、上記外壁板の上端面及び下端面には、上記端面止水材の配設部分よりも後方において、上記外壁板の内側に向かって切り込まれた切込係止溝が形成されており、上記留め付け金具は、下側の上記外壁板の上端面における上記切込係止溝に上記下板係止部を係合させ、上側の上記外壁板の下端面における上記切込係止溝に上記上板係止部を係合させることにより、上記外壁板を留め付けていることが好ましい（請求項３）。
【００１７】
この場合には、上端面及び下端面における切込係止溝に、それぞれ下板係止部及び上板係止部を係合することにより、上記外壁板を留め付け金具に確実に係止することができる。これにより、上記外壁板を上記下地材に確実に留め付けることができると共に、施工を容易に行うことができる。
上記留め付け金具の材料には、例えば、アルミ、あるいはステンレス鋼等を用いることができる。また、上記留め付け金具は、釘、又はビス等を用いて外壁の下地材に固定することができる。
【００１８】
上記切欠部の前端部と上記切込係止溝の後面との間の前後位置関係は、隣り合う上記外壁板の間において同一であり、上記留め付け金具は、上記基板部から前方へ向かって突出したバネ部を有し、該バネ部は、前方へ付勢された状態で上記外壁板の裏側面に当接することにより、該外壁板を前方へ押圧していることが好ましい（請求項４）。
【００１９】
この場合には、端面止水材の前後位置を一定の位置に揃えて互いに確実に密着させることができるため、上述した外壁施工構造の防水機能の効果を確実に発揮することができる。
すなわち、バネ部によって上記外壁板が前方へ押圧されることにより、上記切込係止溝の後面が上記留め付け金具の上板係止部又は下板係止部に当接する。そして、上記切欠部の前端部と上記切込係止溝の後面との間の前後位置関係は、隣り合う外壁板の間において同一であるため、隣り合う外壁板同士において、切欠部の前端部の前後位置が揃い、端面止水材の前後位置が揃う。
【００２０】
すなわち、上記切欠部の形成位置や端面止水材の配設位置は外壁板の裏側面を基準に決定することができるが、外壁板の反り変形や厚みバラツキ等により、隣り合う外壁板同士の間で端面止水材の前後位置がずれてしまうおそれがある。
そこで、上述のごとく、バネ部によって切込係止溝の後面が基準となるようにすることで端面止水材の前後位置を揃えることができる。
また、該バネ部が前方へ付勢されていることにより、上記外壁板を留め付け金具で確実に係止することができる。
【００２１】
上記留め付け金具は、上記基板部にビス孔を設けてなると共に、該ビス孔に挿通したビスによって上記下地材に固定されており、上記ビス孔の周囲における上記基板部の裏側面には金具止水材が配設され、該金具止水材は、上記ビスの脚部に絡み付いており、上記ビスの頭部と上記留め付け金具との間にはビス止水材が配設されていることが好ましい（請求項５）。
【００２２】
この場合には、上記金具止水材及び上記ビス止水材により、より一層防水性に優れた外壁施工構造を得ることができる。すなわち、万一、上記外壁板の端面止水材により完全に防水することができなかった場合にも、ビス孔において二次的に上記金具止水材及び上記ビス止水材により防水することにより、ビス孔から下地材への水の浸入を防ぐことができる。
また、上記金具止水材は、上記ビスの脚部に絡み付いているため、ビスの脚部の周囲に隙間ができることを確実に防ぎ、より防水性を向上させることができる。
【００２３】
上記金具止水材は、ブチルゴムからなることが好ましい（請求項６）。
この場合には、耐候性、耐水性に優れた金具止水材を得ることができる。そのため、より一層防水性に優れた外壁施工構造を得ることができる。
上記金具止水材としては、形状弾性等の観点から、加硫ブチルゴムからなることが更に好ましい。
【００２４】
上記金具止水材は、引裂強度が０．４Ｎ／ｍｍ2以上、伸び率が２０％以上であることが好ましい（請求項７）。
この場合には、上記金具止水材が、切れることなく充分に伸びながら変形し、ビスの脚部に充分に絡み付くことができるため、上述した金具止水材の防水機能の効果をより一層発揮することができる。
【００２５】
一方、上記金具止水材の引裂強度が０．４Ｎ／ｍｍ2未満、又は伸び率が２０％未満の場合には、上記金具止水材は、すぐに引き裂けてしまうため、上述した金具止水材の防水機能の効果を充分発揮することができないおそれがある。
ここで、引裂強度はＪＩＳ  Ｋ−６２５２による値であり、伸び率はＪＩＳ  Ｋ−６１５１による値である。
【００２６】
上記ビス止水材は、ＥＰＤＭ又はシリコンゴムからなることが好ましい（請求項８）。
この場合には、弾力性、耐候性に優れたビス止水材を得ることができる。そのため、上述したビス止水材の防水機能の効果をより一層発揮することができる。
【実施例】
【００２７】
（実施例１）
本発明に実施例にかかる外壁施工構造につき、図１〜図１１を用いて説明する。
本例の外壁施工構造１は、図１〜図３及び図５に示すごとく、外壁板１０を上下左右に突き付け接合した状態で下地材４に固定してなる。
【００２８】
外壁板１０は、図６、及び図７〜図１０に示すごとく、上端面１１０、下端面１１１、左端面１１２、及び右端面１１３に、裏側面１１４から切り欠かれた切欠部１００を形成してなる。該切欠部１００の前端部１０１には、図２、図３、図９、図１０に示すごとく、弾力性を有する端面止水材２が連続して配設されている。また、図２、図３に示すごとく、該端面止水材２は、隣接する外壁板１０に配設された端面止水材２と密着している。
【００２９】
また、端面止水材２はＥＰＤＭからなる。
図２、図３に示すごとく、外壁板１０は、該外壁板１０の上辺及び下辺に配された留め付け金具３によって下地材４に留め付けられている。
該留め付け金具３は、図２、図４に示すごとく、下地材４に固定される基板部３１と、該基板部３１から前方へ突出すると共に上方に屈曲した上板係止部３２と、下方に屈曲した下板係止部３３とを有している。
【００３０】
また、図１、図７、及び図９に示すごとく、外壁板１０の上端面１１０及び下端面１１１には、端面止水材２の配設部分よりも後方において、外壁板１０の内側に向かって切り込まれた切込係止溝１０２が形成されている。
また、図１、図４に示すごとく、留め付け金具３は、下側の外壁板１０の上端面１１０における切込係止溝１０２に下板係止部３３を係合させ、上側の外壁板１０の下端面１１１における切込係止溝１０２に上板係止部３２を係合させることにより、外壁板１０を留め付けている。
【００３１】
また、切欠部１００の前端部１０１と切込係止溝１０２の後面１０３との間の前後位置関係は、隣り合う外壁板１０の間において同一である。
また、留め付け金具３は、図１、図４に示すごとく、基板部３１から前方へ向かって突出したバネ部３５を有し、該バネ部３５は、前方へ付勢された状態で外壁板１０の裏側面１１４に当接することにより、該外壁板１０を前方へ押圧している。
【００３２】
本例において、外壁板１０は、セメント等の水硬性材料、骨材、及び補強繊維を主原料として、これに水を添加してモルタルとし、流し込み成形して製造したものを用いる。
また、下地材４としては、ＯＳＢを用いている。そして、図１〜図３に示すごとく、下地材４の外側には防水紙４０が配設されており、該防水紙４０が補助的に防水機能を担っている。
【００３３】
また、図９、図１０に示すごとく、端面止水材２は、外壁板１０の施工前における押圧力がかかっていない状態において、例えば、幅ｗを３〜７ｍｍ、厚みｔを２〜５ｍｍとすることができる。
また、図７〜図１０に示す切欠部１００は、例えば、深さＤを０．５〜２ｍｍとすることができる。
留め付け金具３の材料には、ステンレス鋼を用いる。また、留め付け金具３は、図１，図４に示すごとくステンレス鋼製のビス５を留め付け金具３の基板部３１に設けたビス孔３４に挿通して、下地材４に固定されている。
【００３４】
次に、本例の作用効果につき説明する。
切欠部１００の前端部１０１には、弾力性を有する端面止水材２が連続して配設されている。そして、上下左右に隣接する外壁板１０が突き付け接合されると、端面止水材２が互いに密着し合う。これにより、外壁板１０同士の間における隙間の発生を防ぐことができ、隣り合う外壁板１０の間の防水機能を確保して防水性に優れた外壁施工構造１を得ることができる。
上述のごとく、外壁板１０の後方へ水が浸入することを防ぐことができるため、下地材４として特に防水機能を有するものを用いる必要がない。そのため、安価な外壁施工構造１を得ることができる。
【００３５】
また、端面止水材２は切欠部１００に配設されているため、外壁板１０を突き付け接合したとき、端面止水材２が意匠面１２０側に露出しすぎることを抑制することができる。
また、端面止水材２同士が密着することにより、例えば、上側の外壁板１０の下端面１１１と下側の外壁板１０の上端面１１０とが、より近接し、外壁板１０同士の間における隙間の発生を防ぐことができる。
これにより、外壁板１０の接合部において意匠面１２０が分断されることがなく、外観意匠性に優れた外壁施工構造１を得ることができる。
【００３６】
また、端面止水材２は、切欠部１００の前端部１０１に配設されている。そのため、複数の外壁板１０を突き付け接合する際に、外壁板１０の端面に設けられた端面止水材２が意匠面１２０外側に向かってずれることを防ぐことができる。その結果、上述した外壁施工構造１の防水機能の効果を確実に発揮すると共に、外観意匠性を確保することができる。
【００３７】
また、外壁板１０は、上端面１１０、下端面１１１、左端面１１２、及び右端面１１３に、切欠部１００を形成してなる。そのため、上述した外壁施工構造１の防水機能の効果を、外壁板１０の端面の全周にわたって発揮することができる。したがって、外壁施工構造１を施工した後、隣り合う外壁板１０の接合部に形成される目地部１１にシーリング材の打設等を行わなくても良い。
また、外壁板１０の防水機能の効果により、雨水等が外壁板１０の裏側面１１４に回り込むおそれがないため、外壁板１０及び構造躯体の腐食、劣化等の問題がない。
【００３８】
.  端面止水材２は、ＥＰＤＭからなる。それゆえ、弾力性、耐候性に優れた端面止水材２を得ることができる。そのため、上述した外壁施工構造１の防水機能の効果をより一層発揮することができる。
【００３９】
また、上端面１１０及び下端面１１１における切込係止溝１０２に、それぞれ下板係止部３３及び上板係止部３２を係合することにより、外壁板１０を留め付け金具３に確実に係止することができる。これにより、外壁板１０を下地材４に確実に留め付けることができると共に、施工を容易に行うことができる。
【００４０】
また、切欠部１００の前端部１０１と切込係止溝１０２の後面１０３との間の前後位置関係は、隣り合う外壁板１０の間において同一であり、留め付け金具３に配設されたバネ部３５は、前方へ付勢された状態で外壁板１０の裏側面１１４に当接している。その結果、端面止水材２の前後位置を一定の位置に揃えて互いに確実に密着させることができるため、上述した外壁施工構造１の防水機能の効果を確実に発揮することができる。
【００４１】
すなわち、バネ部３５によって外壁板１０が前方へ押圧されることにより、切込係止溝１０２の後面１０３が留め付け金具３の上板係止部３２または下板係止部３３に当接する。そして、切欠部１００の前端部１０１と切込係止溝１０２の後面１０３との間の前後位置関係は、隣り合う外壁板１０の間において同一であるため、隣り合う外壁板１０同士において、切欠部１００の前端部１０１が揃い、端面止水材２の前後位置が揃う。
【００４２】
すなわち、切欠部１００の形成位置や端面止水材２の配設位置は外壁板１０の裏側面１１４を基準に決定することができるが、外壁板１００の反り変形や厚みバラツキ等により、後述する比較例（図１５）に示すごとく、隣り合う外壁板１０同士の間で端面止水材２の前後位置がずれてしまうおそれがある。
そこで、上述のごとく、バネ部３５によって切込係止溝１０２の後面１０３が基準となるようにすることで、図１１に示すごとく、端面止水材２の前後位置を揃えることができる。
【００４３】
また、該バネ部３５が前方へ付勢されていることにより、外壁板１０を留め付け金具３で確実に係止することができる。
更に、隣り合う外壁板１０の間において、切込係止溝１０２の後面１０３と外壁の意匠面１２０との前後位置関係が同一のものであれば、外壁の意匠面１２０が揃うため、外観意匠性に優れた外壁施工構造１を得ることができる。
【００４４】
以上のごとく、本例によれば、隣り合う外壁板の間の防水機能を有する防水性に優れた外壁施工構造を提供することができる。
【００４５】
（実施例２）
本例は、図１２〜図１４に示すごとく、留め付け金具３のビス孔３４の周囲における基板部３１の裏側面３１２に金具止水材５１を配設し、ビス５の頭部５０１と留め付け金具３との間にはビス止水材５２を配設した外壁施工構造１の例である。
金具止水材５１には、引裂強度が０．４Ｎ／ｍｍ２以上、伸び率が２０％以上のブチルゴムを用いている。
また、ビス止水材５２は、ＥＰＤＭからなる。
【００４６】
金具止水材５１は、図１３に示すごとく、留め付け金具３のビス孔３４の全体を後方から覆うように配設されている。
ビス止水材５２は、ビス５に挿嵌され、ビス止水材５２とビス５の頭部５０１との間にはワッシャー５０２が配設されている。
【００４７】
また、留め付け金具３を下地材４に固定するにあたっては、図１２、図１３に示すごとく、留め付け金具３を所定位置に配置した上で、ビス５をビス孔３４に挿通すると共に、金具止水材５１を破るようにして、矢印Ｚの方向へビス５を下地材４に捻じ込んでいく。
このとき、図１４に示すごとく、金具止水材５１はビス５の脚部５０３に絡み付いて密着する。一方、ビス止水材５２は、ワッシャー５０２と留め付け金具３の基板部３１との間に密着してビス孔３４をふさぐ。
その他は、実施例１と同様である。
【００４８】
本例の場合には、金具止水材５１及びビス止水材５２により、より一層防水性に優れた外壁施工構造１を得ることができる。すなわち、万一、外壁板１０の端面止水材２により完全に防水することができなかった場合にも、ビス孔３４において二次的に金具止水材５１及びビス止水材５２により防水することにより、ビス孔３４から下地材４への水の浸入を防ぐことができる。
【００４９】
また、金具止水材５１は、ビス５の脚部５０３に絡み付いているため、ビス５の脚部５０３の周囲に隙間ができることを確実に防ぎ、より防水性を向上させることができる。
また、金具止水材５１は、ブチルゴムからなるため、耐候性、耐水性に優れた金具止水材５１を得ることができる。そのため、より一層防水性に優れた外壁施工構造１を得ることができる。
【００５０】
また、金具止水材５１は、引裂強度が０．４Ｎ／ｍｍ2以上、伸び率が２０％以上の性能を有する加硫ブチルゴムからなる。これにより、金具止水材５１が、切れることなく充分に伸びながら変形し、ビス５の脚部５０３に充分に絡み付くことができるため、上述した金具止水材５１の防水機能の効果をより一層発揮することができる。
【００５１】
ビス止水材５２は、ＥＰＤＭからなる。これにより、弾力性、耐候性に優れたビス止水材５２を得ることができる。そのため、上述したビス止水材５２の防水機能の効果をより一層発揮することができる。
その他、実施例１と同様の作用効果を有する。
【００５２】
（比較例）
本比較例は、図１５に示すごとく、バネ部３５（図１、図４参照）が配設されてない留め付け金具３を用いて外壁施工構造１を施工した例である。
本例においては、外壁板１０が前方へ押圧されることはなく、外壁板１０の反り変形や厚みバラツキ等がある場合、切込係止溝１０２の後面１０３が留め付け金具３の上板係止部３２又は下板係止部３３に当接しないことがある。
その場合、図１５に示すごとく、隣り合う外壁板１０同士において、切欠部１００の前端部１０１の前後位置が揃わず、端面止水材２の前後位置がずれてしまうおそれがある。
【００５３】
これに対して、実施例１の外壁施工構造１のように、留め付け金具３にバネ部３５が配設されている場合には、図１１に示すごとく、バネ部３５によって、切込係止溝１０２の後面１０３を留め付け金具３の上板係止部３２又は下板係止部３３に当接させることができる。そのため、外壁板１０の反り変形や厚みバラツキ等がある場合にも、端面止水材２の前後位置を同一位置とすることができる。その結果、上述した外壁施工構造１の防水機能の効果を確実に発揮することができる。
【図面の簡単な説明】
【００５４】
【図１】実施例１における、外壁施工構造の目地部の縦断面説明図。
【図２】実施例１における、外壁施工構造の縦断面説明図。
【図３】実施例１における、外壁施工構造の横断面説明図。
【図４】実施例１における、留め付け金具の斜視図。
【図５】実施例１における、外壁施工構造の正面図。
【図６】実施例１における、外壁板の斜視図。
【図７】実施例１における、外壁板の上端面及び下端面における切欠部の断面説明図。
【図８】実施例１における、外壁板の左端面及び右端面における切欠部の断面説明図。
【図９】実施例１における、外壁板の上端面及び下端面における切欠部の前端部に端面止水材を配設した場合の断面説明図。
【図１０】実施例１における、外壁板の左端面及び右端面における切欠部の前端部に端面止水材を配設した場合の断面説明図。
【図１１】実施例１における、外壁板の厚みにバラツキがある場合の外壁施工構造の縦断面説明図。
【図１２】実施例２における、外壁施工構造の目地部の縦断面説明図。
【図１３】実施例２における、留め付け金具を外壁の下地材に固定する方法を示す説明図。
【図１４】実施例２における、金具止水材とビス止水材の納まりを示す縦断面説明図。
【図１５】比較例における、バネ部が留め付け金具に配設されていない場合の外壁施工構造の縦断面説明図。
【符号の説明】
【００５５】
１  外壁施工構造
１０  外壁板
１００  切欠部
１０１  前端部
１１０  上端面
１１１  下端面
１１２  左端面
１１３  右端面
１１４  裏側面
２  端面止水材 
４  下地材 
【図１】
2006241839.tif 000003
【図２】
2006241839.tif 000004
【図３】
2006241839.tif 000005
【図４】
2006241839.tif 000006
【図５】
2006241839.tif 000007
【図６】
2006241839.tif 000008
【図７】
2006241839.tif 000009
【図８】
2006241839.tif 000010
【図９】
2006241839.tif 000011
【図１０】
2006241839.tif 000012
【図１１】
2006241839.tif 000013
【図１２】
2006241839.tif 000014
【図１３】
2006241839.tif 000015
【図１４】
2006241839.tif 000016
【図１５】
2006241839.tif 000017